Podtech/llm-jp-corpus-v4-ja_patent huggingface dataset:
(57)【要約】【課題】  水分の多い料理や、熱い料理を運ぶ際に、丼などの容器から水分がこぼれず、容器が落下せず、安全に運ぶことのできるお盆を提供すること。【解決手段】  平らなお盆の一部に穴をあけ、容器を固定することのできる穴あきお盆を提供する。【選択図】図２
0003181025.tif 000002
【実用新案登録請求の範囲】
【請求項１】
料理を入れた容器を持ち運ぶことのできるお盆において、料理の入った容器を固定できる穴を設けたことを特徴とするお盆。
【考案の詳細な説明】
【技術分野】
【０００１】  本考案は、料理が入った容器を、入れることのできる穴を設けたお盆に関するものである。
【背景技術】
【０００２】  従来、容器に入れた料理を運ぶのには平らなお盆が使われている。特に、熱いものや水分の多い料理、例えば熱いラーメンやうどん等を運ぶ際には、家庭や飲食店等、多くの場所で利用されている。特に近年増加しているフードコート等のセルフサービス式の場合、様々な年齢の多くの人が利用する。しかし、平らなお盆では少しの傾きでも容器が滑ってしまったり、バランスを崩して容器を落下させてしまう恐れがある。特許文献２のように滑り止めを施したお盆もあるが、斜めに傾ければ乗せていた容器もバランスを崩し、落下してしまう。【０００３】  そのため、お盆を使用する場所や年齢を問わず、水分が多い料理や熱い料理の場合、水分をこぼさないように、またお盆から落下しないようにと、細心の注意を払いながら移動しなければならない。【０００４】  上記のことから、誰でも安全に熱い料理や、水分の多い料理を運べるお盆を提供するため、特許文献１から４には様々な発明や考案が開示されている。
【先行技術文献】
【特許文献】
【０００５】
【特許文献１】特開２００２−８５２３７号広報
【特許文献２】特開２００５−３２３８５１号広報
【特許文献３】特開２０１０−１６７２４８号広報
【特許文献４】実用新案登録第３１１４１６３号広報
【考案の概要】
【考案が解決しようとする課題】
【０００６】  従来のお盆には上記のような問題がある。特許文献１では長方形のお盆において、その外側に凹部、凸部を設けたお盆が開示されている。特許文献３では長方形のお盆において、その端に穴を開け、そこに手を入れて使用するお盆が開示されている。特許文献１と３のそれぞれのお盆を提供することで、握力の弱い人も安定して持てるお盆が開示されているが、請求項１に記載の本考案はお盆の穴に容器を入れ、安定させるものであり、本考案とは解決しようとする課題も、解決の仕方も全く別のものである。【０００７】  また、特許文献４にはドンブリ形お盆が開示されているが、本考案とは形が全く異なる。しかも、本考案は平らなお盆の一部に穴を開けるため、箸やスプーン等も一緒に運ぶこともできる。【０００８】  従って、丼等をしっかり安定させ、しかも平らなお盆の利点も利用できるお盆はなかった為、これらの課題を解決するお盆を提供することが課題である。
【課題を解決するための手段】
【０００９】  上記課題を解決するために、請求項１に記載の、料理を入れた容器を入れる穴を開けたお盆を提供する。
【考案の効果】
【００１０】  本考案に関わるお盆は丼等の容器を入れるための穴が開いており、固定されるため、お盆を傾けても水分が手にかかることもない。また固定されているので落下させてしまうということもなくなる。しかも、平らなお盆に穴をあけるため、穴の開いていないスペースにはスプーンや箸のようなものも置いて、同時に運ぶことができる。
【図面の簡単な説明】
【００１１】
【図１】  穴あきお盆の実施例図（実施例１）
【図２】  穴あきお盆に容器を固定した図
【考案を実施するための形態】
【００１２】  以下、本考案を具体化した実施形態を図面に基づき説明する。
【実施例１】
【００１３】  図１は本考案の実施例を示した。図１に示される様に、本実施の穴あきお盆１は容器３が穴２に入り固定される形態になっている。【００１４】  穴２の直径は丼の場合１３から１６センチが望ましいがこれに限らない。さらに、穴２の周囲にはゴム等の滑り止め材で滑り止め効果を持たせてもよいがなくても構わない。また、お盆の大きさ、穴の大きさ、穴の数、滑り止めの有無、滑り止めの素材等の設計変更はこの考案の要旨を変更しない範囲で施すことができる。
【産業上の利用可能性】
【００１５】  従来のお盆よりも利用する材料を少なくすることができる。また、ラーメンやうどんなどを提供する飲食店は多くある。また、熱いものや水分の多い料理を提供する飲食店はラーメンやうどんに限らず、新たにお盆を購入する飲食店はこれから先もなくなることがない。その為、需要は継続的であり、製造、運送、販売、飲食等の産業に大きく貢献できる。
【符号の説明】
【００１６】１  穴あきお盆
２  穴
３  容器
【図１】
0003181025.tif 000003
【図２】
0003181025.tif 000004
(57)【要約】      （修正有）【課題】ベスト肩裏にマグネットを着脱容易に取りつけ、家庭内での洗濯が容易となるようにしたベストを提供する。【解決手段】マグネットに面ファスナーを取り付け、ベストの肩裏の布地に面ファスナーが張りつく構造にしてベストを形成する。【選択図】図１
0003181022.tif 000002
【実用新案登録請求の範囲】
ベスト肩裏にマグネットが簡単に付けられまた簡単に外せるようにマグネット側と肩裏側に面ファスナーを取り付けた構造からなるベスト。
【考案の詳細な説明】
【技術分野】
【０００１】この考案は、ベストの肩裏にマグネットを簡単に付けられまた簡単に外せるようにした仕様。
【背景技術】
【０００２】マグネットの裏側に面ファスナーを取り付け、ベストの肩裏に面ファスナーが張りつく構造にした素材で作られ簡単に着脱できる仕様。
【考案が解決しようとする課題】
【０００３】今までのマグネット付きはマグネットが縫い付けられており取り外しできるものは有りませんでした。
【考案の結果】
【０００４】取り外し出来ることにより家庭洗濯等が簡単に出来ます。
【図面の簡単な説明】
【０００５】
【図１】ベスト肩裏面ファスナー
【図２】ベスト肩裏マグネット
【図３】マグネットとマグネット裏側
【符号の説明】
【０００６】１０  肩裏
１１  面ファスナー
１２  ベスト表
１３  マグネット
【図１】
0003181022.tif 000003
【図２】
0003181022.tif 000004
【図３】
0003181022.tif 000005
(57)【要約】      （修正有）【課題】麺類を食する時、便利に使用できるスプーンを提供する。【解決手段】スプーンの皿部の左右の側面に４の切れ目を入れることにより、麺をスプーンに乗せ易くし、食するのに便利に使用できるようにする。切れ目は、持ち手部分に対し、ほぼ平行または斜めに通る位置に入れる。さらに、切れ目の突起部の先端および切れ目の端の角の部分は、安全管理のため一定の丸みを持たせるとともに、対象食品に合わせ、皿部分の長さ、幅、深さおよび切れ目の数、長さ、幅を調節して制作する。【選択図】図１
0003181023.tif 000002
【実用新案登録請求の範囲】
【請求項１】
持ち手部に設けられた皿部の左右の側面に複数の切れ目が入っていることを特徴とするスプーン。
【請求項２】
持ち手部に設けられた皿部の左右の側面に切れ目が入っていることを特徴とするスプーン。
【考案の詳細な説明】
【技術分野】
【０００１】  本考案は、麺類を食するスプーンに関するものである。
【背景技術】
【０００２】  ラーメン等の麺類の麺や具を食するレンゲに関する技術としては、特許公開２００４−１３５６９２号広報および特許公開２００６−１５０９３号公報により公知となっている。
【先行技術文献】
【特許文献】
【０００３】
【特許文献１】特許公開２００４−１３５６９２号公報
【特許文献１】特許公開２００６−１５０９３号公報
【考案の概要】
【考案が解決しようとする課題】
【０００４】  しかしながら、公知となっているレンゲでは、麺を食するのには少々、不便であった。
【課題を解決するための手段】
【０００５】  そこで、本考案は、以上の課題を解決すべく、麺類を食するのに、便利に使用できるスプーンを提供することを目的とした。【０００６】  本考案は、スプーンの持ち手部に設けられた皿部の左右の側面に切れ目を入れることを特徴としている。【０００７】  また、本考案に係るスプーンの皿部の左右の側面の切れ目は、持ち手部に対し、ほぼ平行または斜めの位置に入れる。【０００８】  さらに、本考案に係るスプーンにおいては、皿部の切れ目の突起部の先端および切れ目の端の角の部分は、安全管理のため一定の丸みを持たせるとともに、対象食品に合わせ、皿部の長さ、幅、深さおよび切れ目の数、長さ、幅を調節して制作する。
【考案の効果】
【０００９】  本考案に係るスプーンによれば、皿部の横幅を狭くし、深さを小さくして、左右の側面の切れ目を持ち手部に対して斜めに入れたスプーンでは、フォークとは異なる感覚で、便利に麺を食することができる。また、左右の側面の切れ目を持ち手部に対して、ほぼ平行または斜めに入れて、皿部の深さを大きくすれば、もずく等の流動性食品を食する時、具を皿の中に留め易くなり、箸で食するよりも、汁をより多く具と同時に食することができる。
【図面の簡単な説明】
【００１０】
【図１】本考案に係るスプーンの一例を示す、斜視図である。
【図２】本考案に係るスプーンの一例を示す、斜視図である。
【図３】本考案に係るスプーンの一例を示す、斜視図である。
【考案を実施するための形態】
【００１１】  以下に、本考案に係るスプーンの実施例を、図１乃至図３に基づいて説明する。本考案に係るスプーンの一例を示す図１乃至図３において、１は皿部の表面、２は皿部の裏面、３は持ち手部、４は切れ目部、５は切れ目の突起部、６は切れ目の端の角部、７は皿部の表面である。
【００１２】  ４の切れ目部を中心にして麺を乗せて食する。５の切れ目の突起部には、若干の傾きを持たせても良い。また、７の部分にもずく等の食品を乗せて食する。
【符号の説明】
【００１３】１  皿部の表面
２  皿部の裏面
３  持ち手部
４  切れ目部
５  切れ目の突起部
６  切れ目の端の角部
７  皿部の表面
【図１】
0003181023.tif 000003
【図２】
0003181023.tif 000004
【図３】
0003181023.tif 000005
(57)【要約】      （修正有）【課題】耳当て使用時に、外部音が聞こえ、イヤホンやイヤーアクセサリー、耳治療具が着脱可能な耳当てを提供する。【解決手段】耳当て本体１の内側に耳が入る耳挿入凹部４を設け、この耳挿入凹部４にイヤホン、耳治療具、イヤーアクセサリーのいずれかが着脱可能な開口部２を設ける。開口部２の下部には、スリット３が設けられ、イヤーアクセサリー又は耳治療具のリード線を通すスリットを設ける。【選択図】図２
0003181008.tif 000002
【実用新案登録請求の範囲】
【請求項１】
耳当て本体の内側に耳挿入凹部を設け、この耳挿入凹部にイヤホン、耳治療具、イヤーアクセサリーのいずれかが着脱可能な開口部を設けたことを特徴とする耳当て。
【請求項２】
前記開口部の下部にはイヤホン、耳治療具のリード線を通すスリットが設けられている請求項１記載の耳当て。
【考案の詳細な説明】
【技術分野】
【０００１】  本考案は、耳挿入凹部に開口部を設けた耳当てに関するものである。
【背景技術】
【０００２】  従来、本体に耳挿入凹部を設けた耳保温用の耳当てが知られている。【０００３】
【特許文献１】  特開２００４−１８７８１８号公報
【考案の概要】
【考案が解決しようとする課題】
【０００４】  従来の耳当ては保温が目的であるため、耳挿入凹部に開口部は設けられていない。そのため、従来の耳当ては、次のような欠点があった。【０００５】（イ）耳挿入凹部に開口部がないため、外音がシャットアウトされ、会話がしづらかった      。また、来車音やクラクションが聞き取りにくく、安全性に欠けていた。
（ロ）音楽を聞いたり、補聴器の利用時は、耳当てをその都度外してからでないとイヤホ      ンが着脱できなかった。
（ハ）イヤーアクセサリーや耳治療具の利用時は、耳当てをその都度外してからでないと      着脱できなかった。【０００６】  本考案は、外音が聞き取りやすく、かつ着けたままイヤホン、耳治療具、イヤーアクセサリーなどの利用が可能な耳当てを提供することを目的とする。
【課題を解決するための手段】
【０００７】  請求項１の考案は、耳当て本体の内側に耳挿入凹部を設け、この耳挿入凹部にイヤホン、耳治療具、イヤーアクセサリーのいずれかが着脱可能な開口部を設けた耳当てである。【０００８】  請求項２の考案は、前記開口部の下部にはイヤホン、耳治療具のリード線を通すスリットが設けられている。
【考案の効果】
【０００９】  本考案の耳当ては、外音が聞き取りやすく、かつ着けたままイヤホン、耳治療具、イヤーアクセサリーなどの利用が可能である。
【図面の簡単な説明】
【０００９】
【図１】耳当ての全体を示す正面図である。
【図２】本考案の耳当ての斜視図である。
【図３】本考案の第１実施形態の表面図である。
【図４】第１実施形態の内面図である。
【図５】本考案の第２実施形態の表面図である。
【図６】第２実施形態の内面図である。
【考案を実施するための形態】
【００１０】  以下、本考案を実施するための形態について説明する。
図１は本考案の耳当ての全体を示すもので、１は左右の耳当て本体で、バンドで連結されている。
【００１１】  図２は本考案の耳当ての斜視図、図３は第１の実施形態の表面図、図４は内面図である。１は耳当て本体で、その内側に耳挿入凹部４が設けられ、耳挿入凹部４には開口部が設けられている。開口部２の下部にはスリット３が設けられている。
【００１２】  本考案の耳当てを使用するときは、耳挿入凹部４を耳に当てて耳当て本体１を装着し、開口部２に物が挟まっていないか確認する。イヤホン又は耳治療具を開口部２から耳孔に挿入し、スリット（３）にリード線を沿わせる。また、開口部２あるいはスリット３からピヤスやイヤリングその他所望のイヤーアクセサリーの着脱をする。
【００１３】  図３は第２実施形態の表面図、図４は内面図である。第２実施形態では開口部２をイヤホン又は補聴器などの耳治療具を保持できるように孔径を小さくしている。
なお、開口部２やスリット３大きさや形状は任意であり、図示のものは例示である。
以上のように、この実施形態による耳当ては、次のような効果が得られる。
【００１４】（イ）耳当てに開口部２があるので、外音が容易に聞き取れ、コミュニケーションが取り      やすい。また、歩行時の信号音や乗車時のアナウンス音等、世の中の多種多様な音      をしっかりと聞き分けることも可能になり、安全性も増す。さらに耳を温めたまま      、外界音との接触が密に出来る。
（ロ）寒冷時、耳当てを外すことなくイヤホンや補聴器の使用が可能になる。イヤホンに      装飾を施した際、外部に表現することが出来る。
（ハ）イヤーアクセサリーが開口部２やスリット３から直接装着可能となるため、一度温      まった耳を冷やすことなく保温が継続できる。開口部２からイヤーアクセサリーが      見えるのでファッション性が増す。イヤーアクセサリーの引っかかりが減少するた      め安全性も増す。開口部２やスリット３から耳治療具装着を確認でき、着脱も可能      になる。
【符号の説明】
【００１５】    １  耳当て本体
２  開口部
３  スリット
４  耳挿入凹部
【図１】
0003181008.tif 000003
【図２】
0003181008.tif 000004
【図３】
0003181008.tif 000005
【図４】
0003181008.tif 000006
【図５】
0003181008.tif 000007
【図６】
0003181008.tif 000008
(57)【要約】      （修正有）【課題】電車等の吊革の持ち手の形状は、大別して、円形のものと三角形あるいは五角形で持ち手部分が直線になっているものがあるが、その両方に使用できる、吊革の持ち手用補助具を提供する。【解決手段】吊革の持ち手に取り付ける部分の形状を、１の部分を直線形、２の部分を曲線形にすることにより、持ち手部分が直線形、曲線形の何れにも使用することができる。素材に合成樹脂を用い、持ち運びに便利で、簡単に吊革の持ち手に取り付けられ、また取り外せて、収納が容易である。【選択図】図１
0003181003.tif 000002
【実用新案登録請求の範囲】
【請求項１】
電車等の吊革を持つ時に、吊革の持ち手部分が直線形および曲線形の両方に使用することができることを特徴とする吊革の持ち手の補助具。
【考案の詳細な説明】
【技術分野】
【０００１】  本考案は、電車等の吊革を持つ時に、吊革の持ち手部分が直線形および曲線形の両方に使用することができる、吊革の持ち手の補助具に関するものである。
【背景技術】
【０００２】  電車等の吊革を持つ時に一定の高さを提供する技術としては、特許公開２０１１−０４６３５１号公報により公知となっている。
【先行技術文献】
【特許文献】
【０００３】
【特許文献１】特許公開２０１１−０４６３５１号公報
【考案の概要】
【考案が解決しようとする課題】
【０００４】  しかしながら、電車等の吊革の持ち手の形状は、大別して、円形のものと三角形あるいは五角形で持ち手部分が直線になっているものがあり、両方に使用できる一定の高さを提供するものはなかった。
【課題を解決するための手段】
【０００５】  そこで、本考案は、以上の課題を解決すべく、吊革の持ち手部分が、直線形、曲線形兼用の吊革の持ち手用補助具を提供することを目的とした。【０００６】  本考案は、吊革の持ち手で、握る部分が直線形、曲線形の何れにも使用することができることを特徴としている。【０００７】  また、本考案は、素材に合成樹脂を用い、簡単に吊革の持ち手に取り付けられ、また取り外せて、収納が容易である。【０００８】  以上において、吊革用の持ち手補助具は、吊革の持ち手や体格に応じて、適度な大きさに形成されている。
【考案の効果】
【０００９】  本考案に係る、吊革の持ち手用補助具によれば、吊革の持ち手で、手で握る部分が、直線形でも曲線形でも使用でき、また、取り付けも容易であり、小柄な人が、体勢を維持することに貢献する。さらに、ノースリーブの衣類を着用した人、特に女性や、長袖や半袖の衣類を着用していても、脇の下の汗しみや臭いを気にする人が、脇の下を大きく開かずに吊革を持つことができる。
【図面の簡単な説明】
【００１０】
【図１】本考案に係る吊革の持ち手用補助具の一例を示す、斜視図である。
【図２】本考案に係る吊革の持ち手用補助具の一例を示す、直線形使用時の正面図である。
【図３】本考案に係る吊革の持ち手用補助具の一例を示す、曲線形使用時の正面図である。
【考案を実施するための形態】
【００１１】  以下に、本考案に係る吊革の持ち手用補助具の実施例を、図１乃至図３に基づいて説明する。本考案に係る吊革の持ち手用補助具の一例を示す図１乃至図３において、１は吊革の持ち手に取り付ける部分の直線形の部分、２は曲線形の部分であり、３は支柱の部分であり、４は握り手の部分である。５および６は吊革の持ち手である。
【００１２】  １および２で構成される部分を吊革の持ち手部分に取り付け、４の部分を握る方法で、直線形のものには１の部分を使用する。また、吊革の持ち手部分が曲線形のものには２の部分を使用する。取り外すときは、４の部分を握ったまま上へ持ち上げる方法で使用する。
【符号の説明】
【００１３】１  吊革の持ち手に取り付ける部分の直線形部
２  吊革の持ち手に取り付ける部分の曲線形部
３  支柱部
４  握り手部
５  吊革の持ち手
６  吊革の持ち手
【図１】
0003181003.tif 000003
【図２】
0003181003.tif 000004
【図３】
0003181003.tif 000005
【手続補正書】
【提出日】平成24年10月23日(2012.10.23)
【手続補正１】
【補正対象書類名】実用新案登録請求の範囲
【補正対象項目名】全文
【補正方法】変更
【補正の内容】
【実用新案登録請求の範囲】
【請求項１】
握り手部と、握り手部から延びる支柱部と、支柱部に設けられた直線形の吊革持ち手取り付け部及び曲線形の吊革持ち手取り付け部とを備えたことを特徴とする吊革の持ち手用補助具。
(57)【要約】      （修正有）【課題】スマートフォンや携帯多機能端末等を収納して持ち運び可能なケースと表示画面等に付着した指紋や曇り汚れを除去するのに適した払拭具とを取り付けて一体化させることができる保持シートを提供する。【解決手段】透明プラスチックフィルムの表面の一部と、裏面の一部に剥離紙付き接着部を設ける。【選択図】図１
0003181006.tif 000002
【実用新案登録請求の範囲】
【請求項１】
スマートフォンや携帯多機能端末等を収納して持ち運び可能なケースと表示画面等に付着した指紋や曇り汚れを除去するのに適した払拭具とを取り付けて一体化させることができる保持シートであって、素材は透明プラスチックフィルムを採用し、その表面の一部と裏面の一部に剥離紙付き接着部を施した構成を特徴とする取り付け用保持シート。
【考案の詳細な説明】
【技術分野】
【０００１】  本考案は、スマートフォンや携帯多機能端末等を収納して持ち運び可能な専用ケース（以下専用ケースと呼ぶ）と表示画面等に付着した指紋や曇り汚れを除去するのに適した払拭具（以下払拭具と呼ぶ）とを取り付けて一体化させることができる保持シートに関するものである。
【背景技術】
【０００２】  近年、スマートフォンなどの情報機器もしくは携帯多機能端末等が急速に普及しているが、これらに備えられる液晶パネルの表示画面に指紋や指の油汚れが付着しやすいだけでなく、付着した汚れが目立ちやすい。特に、スマートフォン等に採用されているタッチパネルにおいてはその画面を指でタッチして操作するようになっているうえ、画面が鮮明であることから指紋や指の油汚れが付着しやすく目立ちやすいので、頻繁に画面を拭き取る必要がある。【０００３】  そこで、従来においては特許文献１に示されているように、極細繊維を使用したワイピングクロスや極細合成繊維などからなる払拭具が提案されている。
【先行技術文献】
【特許文献】
【０００４】
【特許文献１】特開２００１−１４６６５７号公報
【考案の概要】
【考案が解決しようとする課題】
【０００５】  しかしながら、携帯電話は衣類のポケットやバッグ等に収められていても、この種の払拭具は常備され難い。したがって、表示画面等が汚れた際に払拭具を使用できない場合があるという不便さがある。【０００６】  ところでスマートフォンなどの情報機器もしくは携帯多機能端末等が急速に普及しているのと同時に、これらのスマートフォン等を収納して衝撃や汚れから保護して携帯できる専用ケースも近年急速に普及している。【０００７】  そこで本考案は、近年急速に普及している専用ケースと払拭具とを取り付け用保持シートを介して一体化させることで、何時でも画面の汚れ取りが行え、払拭具を出し入れする手間もなく、別途携帯する煩わしさも解消することができることを目的としている。
【課題を解決するための手段】
【０００８】  本考案は上記課題を解決するための手段として、次のような取り付け用保持シートを提供する。まず本考案におけるシート素材は、透明プラスチックフィルムシートを採用し、その表面の一部と裏面の一部に剥離紙付き接着部を施すことで、専用ケースと払拭具とを取り付けて一体化させることができる取り付け用保持シートを構成する。
【考案の効果】
【０００９】  本考案によって、専用ケースと払拭具とを一体にしたことにより、コンパクトに包着収納することができるとともに、従来のスマートフォンケースの機能を失うことなく、出し入れする手間なく払拭具を携帯電話ケースに常備することができる。
【図面の簡単な説明】
【００１０】
【図１】保持シートにおける表面側を示す斜視図。
【図２】図１の保持シートにおける剥離紙を剥がした態様を示す斜視図。
【図３】保持シートにおける裏面側を示す斜視図。
【図４】図３の保持シートにおける剥離紙を剥がした態様を示す斜視図。
【図５】（Ａ）は保持シートに払拭具を取り付ける前の態様を示す斜視図。（Ｂ）は保持シートに払拭具を取り付けた態様を示す斜視図。
【図６】（Ａ）は図５（Ｂ）の払拭具を取り付けた保持シートを専用ケースに取り付ける方法を示す斜視図。（Ｂ）はスマートフォンを専用ケースに嵌合させる方法を示す斜視図。
【図７】図６（Ｂ）の取り付けた態様を示す斜視図。
【図８】図７における払拭具を専用ケースに包着した態様を示す斜視図。
【図９】スマートフォンの表示画面の汚れを払拭具で拭き取る態様を示す斜視図。
【符号の説明】
【００１１】１    保持シート
２    接着部
３    接着部
４    剥離紙
５    剥離紙
６    専用ケース
６ａ  端部
７    払拭具
７ａ  端部
８    スマートフォン
【考案を実施するための形態】
【００１２】  以下、本考案の実施の形態について具体的に説明する。図１に示す本考案の保持シート１は、図２に示すように透明プラスチックフィルムの表面の一部に剥離紙４付き接着部２が施されている。また図４に示すように透明プラスチックフィルムの裏面の一部にも剥離紙５付き接着部３が施されている。
【００１３】  図５から図９までは、本考案の実施例を示すものである。図５（Ａ）に示すように、専用ケース６と払拭具７とを一体化させる際は、まず保持シート１の表面の一部にある剥離紙４を剥がし、図５（Ｂ）に示すように払拭具７の一方の端部７ａに接着部２の接着力で接着させる。次に６（Ａ）に示すように、保持シート１の裏面の一部にある剥離紙５を剥がし、専用ケース６の長尺縁の一方の端縁６ａに接着部３の接着力で接着させる。そして、図６（Ｂ）に示すように、保持シート１を介した専用ケース６にスマートフォン８自体が嵌合することで上下左右の振動はもとより前後の振動でも保持シート１は容易にズレたり抜けたりすることはない。
【図１】
0003181006.tif 000003
【図２】
0003181006.tif 000004
【図３】
0003181006.tif 000005
【図４】
0003181006.tif 000006
【図５】
0003181006.tif 000007
【図６】
0003181006.tif 000008
【図７】
0003181006.tif 000009
【図８】
0003181006.tif 000010
【図９】
0003181006.tif 000011
(57)【要約】      （修正有）【課題】指の運動範囲を広げ高い身体能力を発揮し、摩擦傷害から足を守る三本指ソックスを提供する。【解決手段】親指、人差し指を個別に包むとともに、その他中指から小指を一緒に包むことを特徴とし、さらに前記人差指を前記親指よりも長くする。三本指とすることにより指の運動範囲を広げ、スポーツ、運動事の安定性を高め、独立して包まれる指は摩擦傷害から守られ、安全なスポーツ、運動を実現する。【選択図】図１
0003181001.tif 000002
【実用新案登録請求の範囲】
【請求項１】
親指、人差し指、その他中指から小指までを個別に包む、三本指ソックス。
【請求項２】
人差し指を親指より長くする。
【考案の詳細な説明】
【技術分野】
【０００１】本考案は履物と足の違和感を解消し、歩行及び走行時に発生する摩擦傷害から足を守り、円滑な運動を補佐する衣類である。
【背景技術】
【０００２】足の指、五本を包みこむソックスは、五本の指個々の動きを抑え、運動と安定の範囲を制約し、指どうしの接触により傷害を招いた、又、足袋形状の二本指のソックスは人差し指への負担が大きく、とくに、人差し指の長いランナー諸氏においては、摩擦傷害の一因となる。
【考案が解決しようとする課題】
【０００３】スポーツ運動事の安定と摩擦傷害の減少。
【課題を解決する為の手段】
【０００４】親指、人差し指を個々に包む事により、指の運動能力を高め安定性の高いスポーツパフォーマンスを実現すし、摩擦による傷害を減少させる、人差し指を独立させる事のより、親指に比べ弱い人差し指から小指にいたる四本の指の保護となる。
【考案の実施形態】
【０００５】考案の実施形態については図面を参照に説明する。
図１は三本指ソックスを履いた状態である。
図２は三本指ソックスを履いて指を動かした状態である。
【考案の効果】
【０００６】本考案、三本指ソックスは指の運動範囲を広げ高い身体能力を発揮し、摩擦傷害から足を守る。
【図面の簡単な説明】
【０００７】
【図１】三本指ソックスを上方から見た図である。
【図２】三本指ソックスを装着した指の動きを横から見た図である。
【図１】
0003181001.tif 000003
【図２】
0003181001.tif 000004
【手続補正書】
【提出日】平成24年10月24日(2012.10.24)
【手続補正１】
【補正対象書類名】実用新案登録請求の範囲
【補正対象項目名】全文
【補正方法】変更
【補正の内容】
【実用新案登録請求の範囲】
【請求項１】
親指、人差し指を個別に包むとともに、その他中指から小指を一緒に包むことを特徴とする三本指ソックス。
【請求項２】
前記人差指を前記親指よりも長くすることを特徴とする請求項１に記載された三本指ソックス。
(57)【要約】      （修正有）【課題】衣類を着用した状態で、汗をかいて電車の座席や各種施設の椅子やソファー等に着座した時に感じる、背中や腰、臀部の不快な密着感を緩和する背中用汗取りシートを提供する。【解決手段】素材に通気性とろ過性を持つ不織布を用い、腰ひも２付きのシート１を作成する。そして、ひも２を、身体の正面で結ぶあるいは垂らす方法でシート１を背中に着用するか、座席や椅子の背面で結ぶあるいは垂らす方法で使用し、着座時のずれを防止または調節するとともに、取り外し、収納を容易にする。また、首ひも付きのシートを同様の方法で使用し、肩掛け付きのシートを背中に着用する方法で使用する。さらに、シートを座席や椅子の上から覆う方法で使用する。シートの大きさは、背中、腰、あるいは臀部までの使用方法に応じたものにする。【選択図】図１
0003181002.tif 000002
【実用新案登録請求の範囲】
【請求項１】
不織布シートに腰ひもを付け、腰ひもを身体の正面で結ぶ、あるいは垂らす方法で背中に着用するか、座席や椅子の背面に腰ひもを結ぶあるいは垂らす方法で使用し、着座時のずれを防止または調節するとともに、取り外し、収納が容易であることを特徴とする背中用汗取りシート。
【請求項２】
不織布シートに首ひもを付け、首ひもを身体の正面で結ぶ、あるいは垂らす方法で背中に着用するか、座席や椅子の背面に首ひもを結ぶあるいは垂らす方法で使用し、着座時のずれを防止または調節するとともに、取り外し、収納が容易であることを特徴とする背中用汗取りシート。
【請求項３】
不織布シートに肩掛けを付けて背中に着用する方法で使用し、着座時のずれを防止する、取り外し、収納が容易であることを特徴とする背中用汗取りシート。
【請求項４】
不織布シートで座席や椅子の上部より覆う方法で使用し、着座時のずれを防止する、取り外し、収納が容易であることを特徴とする背中用汗取りシート。
【考案の詳細な説明】
【技術分野】
【０００１】  本考案は、衣類を着用した状態で、背中の汗を吸収し、着座時の不快な密着感を緩和するシートに関するものである。
【背景技術】
【０００２】  人体より発生した汗を吸収する方法は、脇の汗取りなど、特許公開２００７−０６３７１７号公報、登録実用新案第３１０１８１９号公報により公知となっている。
【先行技術文献】
【特許文献】
【０００３】
【特許文献１】特許公開  ２００７−０６３７１７号公報
【特許文献２】登録実用新案  第３１０１８１９号公報
【考案の概要】
【考案が解決しようとする課題】
【０００４】  しかしながら、衣類を着用した状態で、背中の汗を吸収するためには、タオルやバスタオルを椅子やソファー等に掛けて、その上に背をもたれることが一般的な方法であり、この方法では、外出時の電車の中や飲食店、病院、その他施設等では利用し難く、汗をかいて電車の座席や、各種施設の椅子やソファー等に着座した時に、背中や腰、臀部に不快な密着感があった。
【課題を解決するための手段】
【０００５】  そこで、本考案は、以上の課題を解決すべく、何処でも簡易に使用できる、背中、腰、臀部の汗の吸収シートを提供することを目的とした。【０００６】  本考案は、素材に通気性とろ過性を持つ不織布を用い、腰ひもまたは肩ひもを付け、身体の正面で結ぶ、あるいは垂らす方法で背中に着用するか、座席や椅子の背面で結ぶ、あるいは垂らす方法で使用し、着座時のずれを防止または調節するとともに、取り外し、収納が容易であることを特徴としている。【０００７】  また、本考案は、肩掛けを付けて背中に着用する方法や、座席や椅子等の上部より覆う方法で、使用することができる。【０００８】  以上において、シートは体格や対象物に合うように成形されている。
【考案の効果】
【０００９】  本考案に係る背中用汗取りシートによれば、汗をかいて電車の座席や自宅、各種施設の椅子やソファー等に着座した時の不快な密着感を緩和することができる。また、座席等に対する汗の付着も軽減することができ、衛生的な観点からも有用であり、多数の人が利用する、電車内、病院等では特に有用である。【００１０】  それは、不織布は通気性、ろ過性を持っており、衣類についた汗の水分を吸収する。また、密着している身体を離すと、水分が発散される。このような現象は、急速かつ大量に発現するものではないが、緩やかで少量の発現であっても、不快な密着感を緩和する効果は大きいものがある。【００１１】  さらに、適度な厚みと弾力性を持つ不織布を使用することにより、不快な密着感の緩和作用はより促進される。【００１２】  また、本考案に係る背中用汗取りシートを腰や臀部まで届くように製造すれば、腰、臀部においても不快な密着感を緩和することができる。
【図面の簡単な説明】
【００１３】
【図１】本考案に係る背中汗取りシートの一例を示す、腰ひも方式の斜視図である。
【図２】本考案に係る背中汗取りシートの一例を示す、肩ひも方式の斜視図である。
【図３】本考案に係る背中汗取りシートの一例を示す、肩掛け方式の斜視図である。
【図４】本考案に係る背中汗取りシートの一例を示す、覆い方式の斜視図である。
【考案を実施するための形態】
【００１４】  以下に、本考案に係る背中用汗取りシートの実施例を、図１乃至図４に基づいて説明する。本考案に係る背中用汗取りシートの一例を示す図１乃至図４において、１はシート本体であり、２は１と一体になった腰ひもに当たる部分であり、３は１と一体になった首ひもに当たる部分である。４は１と一体となった肩掛けに当たる部分であり、５は１の延長で背面に当たる部分であり、６は同じく側面に当たる部分である。１，５および６で囲まれた中は空間である。
【００１５】  使用する時の２および３のひもの部分は、身体の前面で結んでも良いし、前面に垂らしておき、可動性を持たせる使用方法でも良い。また、座席や椅子の背面で結んでも良いし、垂らしても良い。そして、１の縦の長さは必要に応じ背中、腰または臀部まで届く物を使用する。
【符号の説明】
【００１６】１  シート本体
２  腰ひも部
３  首ひも部
４  肩掛け部
５  シート本体の背面部
６  シート本体の側面部
【図１】
0003181002.tif 000003
【図２】
0003181002.tif 000004
【図３】
0003181002.tif 000005
【図４】
0003181002.tif 000006
【手続補正書】
【提出日】平成24年10月23日(2012.10.23)
【手続補正１】
【補正対象書類名】実用新案登録請求の範囲
【補正対象項目名】全文
【補正方法】変更
【補正の内容】
【実用新案登録請求の範囲】
【請求項１】
不織布シートに腰ひもを付けたことを特徴とする背中用汗取りシート。
【請求項２】
不織布シートに首ひもを付けたことを特徴とする背中用汗取りシート。
【請求項３】
不織布シートに肩掛けを付けたことを特徴とする背中用汗取りシート。
(57)【要約】      （修正有）【課題】剥がした際にのり残りがなく、帽子への装着時歪むことなく綺麗に貼れる展示帽子用保護テープを提供する。【解決手段】帽子の内側に独自の曲線を施し、第１層目が剥離紙、第２層目が剥がした際にのり残りがなく、しっかり粘着出来る粘着剤、第３層目を不織布で構成する。【選択図】図２
0003186207.tif 000002
【実用新案登録請求の範囲】
【請求項１】
本考案は、帽子への装着時歪むことなく綺麗に貼れる様、独自の曲線を施し、剥がした際にのり残りがなく、顧客の試着時外れない様しっかり粘着出来る粘着剤を使用したことを特徴とする展示帽子用保護テープ。
【考案の詳細な説明】
【技術分野】
【０００１】  本考案は、販売のため展示されている帽子の額部分が複数の試着により生ずる汚れを防ぎ、本テープを帽子への装着時に歪むことなく綺麗に貼れる様独自の曲線を形状とした保護テープに関するものである。
【背景技術】
【０００２】展示されている販売用の帽子は、複数顧客の試着により汗、ファンデーションの汚れが付着してしまう。布に粘着剤を使用し保護する方法があるが、粘着剤による帽子へののり残り、及び粘着剤が弱いと試着時に保護テープが帽子から外れてしまい店舗スタッフに手間がかかってしまう。剥がした際にのり残りがなく、しっかり粘着する粘着剤を使用すれば、帽子へののり残りがなくなり、複数の試着時に外れることもない。帽子の内側の曲線は、板状のテープを綺麗に貼ることが難しいため、帽子への装着がスムーズに出来る様、独自の曲線を施した。
【考案の概要】
【考案が解決しようとする課題】
【０００３】上記問題を解決する保護テープを提供する事である。
【課題を解決するための手段】
【０００４】剥がした際にのり残りがなくしっかり粘着する粘着剤を使用し、帽子への装着時歪むことなく綺麗に貼れる様独自の曲線を形状とした保護テープを製作することである。
【考案の効果】
【０００５】本考案によって課題を十分に解決している。
【図面の簡単な説明】
【０００６】
【図１】帽子への装着がゆがむことなく装着がなじむ様、独自の曲線を施した正面図である。テープ裏側には剥がした際にのり残りがなくしっかり粘着する粘着剤を施している。
【図２】図１の断面図である。
【考案を実施するための形態】
【０００７】帽子へ歪むことなく綺麗に貼れる様、独自の曲線を施し、剥がした際にのり残りがなくしっかり粘着する粘着剤の一方に不織布を貼り、反対側へ使用者が剥がす際の剥離紙を貼った形態
【実施例】
【０００８】図１は、保護テープ本体の正面図である。図２は、帽子へ綺麗に貼れる様独自の曲線を施し、第１層目が剥離紙、第２層目が剥がした際にのり残りがなくしっかり粘着出来る粘着剤、第３層が不織布、以上で構成されている保護テープの断面図である。
【産業上の利用可能性】
【０００９】展示されている販売用の帽子は、複数顧客の試着により汗、ファンデーションの汚れが付着してしまう。布に粘着剤を使用し保護する方法があるが、粘着剤による帽子へののり残り、及び粘着剤が弱いと試着時に保護テープが帽子から外れてしまい店舗スタッフに手間がかかってしまう。剥がした際にのり残りがなく、しっかり粘着する粘着剤を使用すれば、帽子へののり残りがなくなり、複数の試着時に外れることもない。帽子の内側の曲線は、板状のテープを綺麗に貼ることが難しいため、帽子への装着がスムーズに出来る様、本保護テープは独自の曲線を施している。その為、帽子への装着時店舗スタッフの作業効率が上がり、顧客の試着時にも見た目が綺麗で喜ばれる。
【符号の説明】
【００１０】１不織布生地を施した表面
２剥離紙
３粘着剤
【図１】
0003186207.tif 000003
【図２】
0003186207.tif 000004
【手続補正書】
【提出日】平成25年7月10日(2013.7.10)
【手続補正１】
【補正対象書類名】実用新案登録請求の範囲
【補正対象項目名】全文
【補正方法】変更
【補正の内容】
【実用新案登録請求の範囲】
【請求項１】
帽子へ綺麗に貼れる様独自の曲線を施し、第１層目が剥離紙、第２層目が剥がした際にのり残りがなくしっかり粘着出来る粘着剤、第３層が不織布、以上で構成されている展示帽子用保護テープ
(57)【要約】      （修正有）【課題】塩化ビニールに３か所に穴があいており使用時の手間や時間がはぶけて、美容パックの上から使用するロール型フィルムを提供する。【解決手段】塩化ビニールに目・鼻・口の３か所に穴があいており、穴からフィルムがさけないように穴のまわりが二重に強化されている。それにより、ひっぱてもやぶれないようになっている。【選択図】図２
0003186209.tif 000002
【実用新案登録請求の範囲】
【請求項１】
ロール型の塩化ビニールを目・鼻・口の３か所に穴があいており一回一回の使用目安がわかるように、線がひいてあり線にそってカットできるようになっているロール型フィルム。
【考案の詳細な説明】
【技術分野】
【０００１】本発明は、一般家庭で使用できる美容パックの上から保温・保湿するロール型フィルムに関する。
【背景技術】
【０００２】従来の美容パックの上から使用するフィルムは、自分で目・鼻・口の部分に穴をあけなくては、ならなかった。
【先行技術文献】
【特許文献】
【０００３】
【特許文献１】
【非特許文献】
【０００４】
【非特許文献】
【考案の概要】
【考案が解決しようとする課題】
【０００５】従来のフィルムは、美容パックの上から穴をくりぬく作業が手間で時間もかかり、くりぬく間にフィルムがさけて穴があいてしまったりフィルムどうしが、くっついてしまう可能性があった。従ってロール型フィルムは、元々穴があいており、手間も時間もかからず使用できる。
前述の欠点を解決するためのものである。
【課題を解決するための手段】
【０００６】本考案は、フィルムの穴が広がったりさけないように、穴のまわりを二重構造にして問題点を解決している。
【考案の効果】
【０００７】上述の様に本考案のロール型フィルムは、穴をくりぬく作業時間もなくなり目・鼻・口のギリギリのラインまでパックができて、保温・保湿の効果をよりあげることができる。
【図面の簡単な説明】
【０００８】
【図１】本考案のロール型フィルムの箱、フィルム使用時の図
【図２】本考案フィルムの形状・穴のサイズの図
【図１】
0003186209.tif 000003
【図２】
0003186209.tif 000004
(57)【要約】      （修正有）【課題】一般浴場での素肌での歩行や座臥、衛生上湯槽内での使用が可能な身体局部を覆い隠す化粧回しを提供する。【解決手段】身体の局部を覆い隠す大小の平面を持つ帯状の連結体３と、前記連結体に対して相対位置変更可能に取り付けられた複数の遮断体１，２とを備える。遮断体が身体局部の凹凸や長さ、歩行や座臥など装着作用の調節のため、線変動可能部４と面変動可能部５をもうける。【選択図】図１
0003186202.tif 000002
【実用新案登録請求の範囲】
【請求項１】
幅の異なる単数あるいは複数の変動可能な遮断体で、視線や接触を遮断し、相対位置変更可能な連結体で身体に装着する機能構造の素肌避けの化粧回し。
【考案の詳細な説明】
【技術分野】
【０００１】  本考案は、身体局部を覆い隠す遮断体で、不本意な他人の視線や接触を遮断防止して、素肌を避ける化粧回しに関する。
【背景技術】
【０００２】  本来、自己の身体局部で、見せない、見せたくない、見られたくない、触らせない、触られたくない部分を、公共生活では不本意な他人の視線や接触から防御するには、無防備な場合が多い。【０００３】  特に入浴時には、恥部や患部など、充分なる遮断物や方法の提供もなく、そのため肉体的、心理的なストレスには隠忍自重となっている。【０００４】  従来技術に係る遮断物として、一般にタオルや下着など存在するが、入浴時にはタオルが使用される。しかし、遮断物として身体恥部への装着が充分で無く、歩行や座臥に不便な機能構造である。【０００５】  また入浴時、タオルは下着と共に衛生上、湯槽には入れない文化習慣と機能構造である。【０００６】  その他、痣、事故や術後の傷痕など、身体局部への遮断について、特に、高齢者や病人への介護看護の現場、事故や救急時など、身体局部への視線や接触は、自尊心を傷つけることがある。【０００７】  幼児子供や思春期の身体発達時、身体露出への抵抗感が強く、また外国人や外国人との湯銭での接触など、困惑や不安、羞恥心の原因ともなる。【０００８】  また本人以上に、他人側からも、見たくない、触りたくない身体局部への視線や接触は、不快な気分を味わい、情緒の欠如や嫌悪感、時には犯罪扱いの原因ともなる。【０００９】  近年、女性の場合、乗り物内の淫行や、多数集まる場での身体恥部への接触防止の適当な遮断物も無く、被害防止は両性共存の今日的課題と成っている。
【考案の概要】
【考案が解決しようとする課題】
【００１０】  以上述べた、見せない、見せたくない、触らせない、触られたくない身体局部への無防備な視線と接触を遮断防止する機能構造で、心理的な不快や苦しみの惻隠が解消できる遮断物が提供できる。【００１１】  本考案の装着で、一般浴場での素肌での歩行や座臥、衛生上湯槽内での使用が可能な遮断物と機能作用が提供できる。【００１２】  単数あるいは複数の遮断体と連結体を結び、遮断体の位置変動可能部で歩行や座臥など可能にする機能構造である。【００１３】  公共一般の集まりや乗り物内での女性への淫行、高齢者や病人の介護看護など、遮断する機能構造で、心理的な苦痛解消の効果が提供できる。【００１４】  幼児子供、思春期の身体発達時の、入浴での身体露出への羞恥心や抵抗感が減少し、また外国人との湯銭での接触にも、不安や違和感の防止となる。【００１５】  本考案には、視線や接触を遮断し防止する上で、楽しい美的デザイン、防水や強度など、産業発展の望める素肌避けの化粧回しが提供できる。
【課題を解決するための手段】
【００１６】  上記目的を達成するために、幅の異なる単数あるいは複数の遮断位置変動を可能とする遮断物を並べた遮断体１、２を作り、連結体３に付ける。【００１７】  遮断体１、２が折り曲がりや広がったりする位置変動可能部４、５をもつ機能構造で、歩行や座臥などを可能とする効果を特徴とする。【００１８】  覆い隠す遮断体１、２と相対位置変更可能な連結体３とを固定し、美的模様６などで装着可能な機能構造で実現する。
【考案の効果】
【００１９】  本考案は、装着で見せない、見せたくない、触らせない、触られたくない身体局部への視線と接触が遮断防止でき、一般浴場での素肌での歩行や座臥、湯槽内での使用、乗り物内での不安などが解消可能となる。【００２０】  装着により、無防備な視線や接触の防止が可能となり、高齢者の介護看護、病人の術後など、心理的痛みや苦しみの惻隠を減らすことが可能となる。【００２１】  装着により、幼児子供や思春期の身体発達時、身体への抵抗感や羞恥心が減少し、情緒的に思える機能効果を発揮するものである。【００２２】  また、見たくない、触りたくないと思う他人側の感情からも、身体の異なる外国人にも気分を害されることも無く、風紀上からも誤解されない機能構造となる。
【図面の簡単な説明】
【００２３】
【図１】  本発明の男性用の正面図である。
【図２】  本発明の痴漢防止用の正面図である。
【考案を実施するための形態】
【００２４】  以下、本考案の実施の形態を図１〜図２に基づいて説明する。
【００２５】  遮断体単数部１あるいは複数部２の遮断物を連結させて、身体局部を覆う遮断体を作り、その遮断体と連結体３とを結び、身体局部への着装を容易にする。
【００２６】  遮断体が身体局部の凹凸や長さ、歩行や座臥など装着作用の調節のため、線変動可能部４と面変動可能部５で可能にする。
【００２７】  女性の場合、乗り物内、公共集会などでの遮断物には強度のあるものとする。
【００２８】  美的デザイン６によって、恥辱より楽しさの効果を上げることが可能である。
【産業上の利用可能性】
【００２９】  上述本考案の素肌を避ける化粧回しは、温泉ブームや高齢化社会の介護看護に向かって、益々利用価値が高く、痴漢防止など利便性も多く経済効果が増大する。【００３０】  簡単な形と機能構造でコストも安く、産業効果の発揮ばかりで無く、公衆道徳や犯罪抑制、快適さ便利さ楽しさが提供できる。
【符号の説明】
【００３１】１  遮断体単数部
２  遮断体複数部
３  連結体
４  線変動可能部
５  面変動可能部
６  模様
【図１】
0003186202.tif 000003
【図２】
0003186202.tif 000004
【手続補正書】
【提出日】平成25年4月24日(2013.4.24)
【手続補正１】
【補正対象書類名】実用新案登録請求の範囲
【補正対象項目名】全文
【補正方法】変更
【補正の内容】
【実用新案登録請求の範囲】
【請求項１】
身体局部を覆う遮断体と身体へ装着をする連結体からなる構造の化粧回しにおいて、身体局部の凹凸や歩行、座位などの動きに順応して折りたたみや広がりする単数又は複数の変動可能部を有する遮断体と連結体で、身体局部を覆い、他人の視線や接触を遮断する機能構造の化粧回し。
【手続補正書】
【提出日】平成25年7月10日(2013.7.10)
【手続補正１】
【補正対象書類名】実用新案登録請求の範囲
【補正対象項目名】全文
【補正方法】変更
【補正の内容】
【実用新案登録請求の範囲】
【請求項１】
身体の局部を覆い隠す大小の平面を持つ帯状の連結体と、前記連結体に対して相対位置変更可能に取り付けられた複数の遮断体とを備える化粧回し。